(57)【要約】【課題】サイズの異なるユニットを誤って挿入することを防ぐことができる誤挿入防止機構とそれを備えたカードコネクタとを提供すること。【解決手段】コネクタにおいて、フレーム部１１が、ストッパ部２とロック部１とを有している。前記ストッパ部２は第１種のカードとは異なる種類の第２種のカードの挿入を阻止する位置と、前記第１種のカードの挿入を許容する位置との間で移動自在に前記フレーム部１１に保持される。前記ロック部１は前記ストッパ部２の移動を阻止する少なくとも一つの係止部１ｂと、前記係止部１ｂに対応し、当該係止部１ｂの係止を解除する少なくとも一つのボタン部１ａとを有する。前記第１種のカードを挿入した際に、前記第１種のカードによって前記ボタン部１ａが移動して、前記係止部１ｂの係止を解除し、前記ストッパ部２の移動が可能になる。前記第２種のカードを挿入した際には、少なくとも一つの前記ボタン部１ａは移動せず、前記係止部１ｂによって前記ストッパ部２の移動が阻止されるようにした。【選択図】　　　図３
2004087394.tif 000002
【特許請求の範囲】
【請求項１】
予め定められた種類の第１種のカードの挿入離脱をガイドするガイド部が設けられたフレーム部を備えたコネクタにおいて、
前記フレーム部は、ストッパ部とロック部とを有し、
前記ストッパ部は前記第１種のカードとは異なる種類の第２種のカードの挿入を阻止する位置と、前記第１種のカードの挿入を許容する位置との間で移動自在に前記フレーム部に保持され、
前記ロック部は前記ストッパ部の移動を阻止する少なくとも一つの係止部と、前記係止部に対応し、当該係止部の係止を解除する少なくとも一つのボタン部とを有し、
前記第１種のカードを挿入した際に、前記第１種のカードによって前記少なくとも一つのボタン部が移動して、前記係止部の係止を解除し前記ストッパ部の移動が可能になり、
前記第２種のカードを挿入した際には、前記少なくとも一つのボタン部は移動せず、前記少なくとも一つの係止部によって前記少なくとも一つのストッパ部の移動が阻止されるようにしたことを特徴とするコネクタ。
【請求項２】
予め定められた種類の第１種のカードの挿入離脱をガイドするガイド部が設けられたフレーム部を備えたコネクタにおいて、
前記フレーム部は前記第１種のカードとは異なる種類の第２種のカードの挿入を阻止する位置と、前記第１種のカードの挿入を許す位置との間で移動自在にフレームに保持された少なくとも一つのストッパ部と、前記少なくとも一つのストッパ部の移動を阻止する少なくとも一つの係止部とを有し、
前記少なくとも一つのストッパ部は前記少なくとも一つの係止部に対応し当該係止部の係止を解除する少なくとも一つのボタン部を有し、
前記第１種のカードを挿入した際、前記第１種のカードにより前記少なくとも一つのボタン部が移動して、前記少なくとも一つの係止部の係止を解除し、前記少なくとも一つのストッパ部の移動が可能になり、
前記第２種のカードを挿入した際には、前記少なくとも一つのボタン部は移動せず、前記係止部により前記ストッパ部の移動が阻止されるようにしたことを特徴とするコネクタ。
【請求項３】
予め定められた種類の第１種のカードの挿入離脱をガイドするガイド部が設けられたフレーム部を備えたコネクタにおいて、
前記フレーム部は前記第１種のカードとは種類が異なる第２種のカードの挿入を阻止する位置と、前記第１種のカードの挿入を許す位置との間で移動自在に前記フレーム部に保持されたストッパ部を少なくとも一つ有し、
前記ストッパ部は、前記ストッパ部を移動させるボタン部を一体に有し、
前記第１種のカードを挿入した際には、前記第１種のカードにより前記ボタン部が移動して前記ストッパ部を移動させ、前記第２種のカードを挿入した際には、前記ボタン部は移動しないように構成されていることを特徴とするコネクタ。
【発明の詳細な説明】
【０００１】
【発明の属する技術分野】
本発明は、カードコネクタに関し、詳しくは、特定のカード以外のカードの誤挿入を防止する機構とそれを備えたカードコネクタに関する。
【０００２】
【従来の技術】
従来、ノート型パーソナルコンピュータやディスクトップ型のパーソナルコンピュータ等の電子機器には、ＩＣカード、スマートカード等のメモリーカードや、外部機器に接続するためのインターフェースカード等のユニットを装着するためのスロットを備えたユニット受容体（以下、これらをあわせてカードコネクタと呼ぶ）が用いられている。
【０００３】
この種のカードコネクタの誤挿入防止機構を備えた例としては、例えば、特許文献１に記載されたカード情報読取書込装置があげられる。
【０００４】
図１７乃至１９は特許文献１に記載されたカード情報読取書込装置を示す図で、図１７は正面断面図、図１８は平面断面図、及び図１９（ａ），（ｂ），（ｃ）は動作説明図である。
【０００５】
図１７乃至図１９に示すように、カード情報読取書込装置のカードＣは、カード挿入口１０１からカード通路１０３内に入り込み、ガイド部１０５の僅かに手前にまで挿入された状態になっている。
【０００６】
カード挿入口１０１は、対象とするカードの形状に合わせた細い矩形状の開口を備えている。細い矩形状の断面をもつカード通路１０３を介して筐体１０２に形成してある筐体内カード通路１０４に連なっている。この筐体内カード通路１０４内に、カードから情報を読取ったり、カードに情報を書込んだりするためのへッド部や、ＩＣカードの端子部に対する接点機構などの情報読取書込部が設けられているが図示は省略されている。
【０００７】
カード挿入口１０１の開口部とカード通路１０３の高さ方向の寸法Ｈは、カードの反りが有ったときのことを考えて、カードＣの厚さｔに対して、例えば２ｔ＝Ｈなどの、かなり余裕をもった大きな値に選ばれている。
【０００８】
ガイド部１０５は、筐体内カード通路１０４の中で、図では下側（阻止部材１０６とは反対側）の面に設けてあり、その先端に形成してある斜面部１０５Ａにより、カードＣが図１９（ａ）の位置から更に矢印Ｂ方向に移動させられたとき、カードＣの先端を上側に逸らし、カードＣが筐体内カード通路１０４の中に滑らかに入り込むようにさせる働きをする。
【０００９】
阻止部材１０６は、厚みのある略四角形に作られて、回動軸１０７は、この阻止部材１０６の、矢印Ｂ方向からみて後端部に近い位置の両側にそれぞれ１個、合計２個設けてあり、突起１０８は、矢印Ｂ方向からみて前端部で、その両側に近い位置に、これもそれぞれ１個、合計２個設けてある。
【００１０】
両側にある回動軸１０７が筐体１０２の所定の部分に軸支され、これにより阻止部材１０６が、図１９（ａ）に示す状態で筐体内カード通路４の中に配置され、且つ、所定の力が働くことにより、図１９（ｂ）の矢印Ｒで示すように、図１９（ａ）の位置から上方向に移動し、力が働くなったときには元の位置、すなわち図１９（ａ）の位置に戻ることができるようになっている。
【００１１】
一方、突起１０８は図示のように、ほぼ角形に作られており、その阻止部材１０６の前方に向かう面には斜面部１０８Ａが形成してある。そして、この阻止部材１０６とカードＣの平面上での関係は、図１８に示すようになっているが、ここで、突起１０８の位置は、カードＣがカード通路１０３の中に挿入されたとき、その先端が阻止部材１０６の両側にある突起１０８に必ず当接することを条件として、可能な限り阻止部材１０６の両側の端部に近くなるように設定してある。
【００１２】
具体的には、図１８において、２個の突起１０８の間隔Ｗ８と、カードＣの先端部で角の丸みを除いた直線部分の幅Ｗｃについて、これらがほほ等しくなるように、即ち、ＷＢ−ＷＣとなるようにしてある。なお、ここで、寸法Ｌは、突起１０８の長さである。
【００１３】
次に、特許文献１のカード情報読取書込記録装置の動作について説明する。
【００１４】
図１９（ａ）に示すように、カードＣが挿入された後、更に矢印Ｂ方向に向って押され、阻止部材１０８の手前まで進んだときの状態が示されている。この状態で、更にカードＣが押されると、図１９（ｂ）に示すように、カードＣはガイド部１０６の斜面部１０５Ａに乗り上げ、これにより突起１０８の斜面部１０８Ａに当接する。
【００１５】
図１９（ｂ）に示す状態で、更にカードＣが押されると、その先端部は、突起１０８の斜面部１０８Ａに沿って滑りながら阻止部材１０６の下側に入り込もうとする。このとき、図１８に関して既に説明したように、突起１０８の間隔Ｗ８と、カードＣの先端部の直線部分の幅Ｗｃがほぼ等しくなるように、間隔Ｗ８の寸法が選ばれているので、カードＣの先端部は、２個の突起１０８の少なくとも一方には必ず当接する。この結果、阻止部材１０６には、回動軸７を支点として、その先端に上方向の力が働き、この結果、図１９（ｃ）に示すように、阻止部材１０６は、矢印Ｒ方向に跳ね上げられ、カードＣは筐体内カード通路１０４の中に進入し、ここで情報の読取り書込みに必要な所定の位置を取ることになる。
【００１６】
従って、正規のカードＣの挿入に際しては、阻止部材１０６が設けられているにもかかわらず、そのカードの挿入がそのまま受入れられ、カード情報読取書込装置としての動作、すなわち、挿入されたカードＣからの情報の読取動作と、それに対する情報の書込動作とが得られることになる。
【００１７】
次に、カード情報読取書込装置に、正規のカード以外の例えば硬貨などの異物が、誤って挿入された場合での動作について説明する。
【００１８】
悪戯などによりあるいは誤って硬貨Ｍをカード挿入口１０１から挿入してしまった場合を示したもので、この場合、硬貨Ｍは、正規のカードＣの角の丸みよりもかなり大きな半径の円板形に作られている。
【００１９】
このため、カード通路１０３の中に硬貨Ｍが入ってしまい、阻止部材１０６の前端面に達したとしても、その円周端はカード通路１０３の側端面と阻止部材１０６の前端面に当接した状態で止められてしまい、突起１０８には当たらない。このための条件は、正規のカードＣの場合は、カードの前端が突起１０８に当接するが、硬貨Ｍでは、その丸みのため、当接できなくなるように、図１８に示した突起の長さＬと、その阻止部材１０６の側端からの位置を適当な寸法に選定しておくことにより、容易に満たすことができる。
【００２０】
このとき、阻止部材１０６の前端部は、硬貨Ｍの挿入方向に対して直角な面になっているから、この部分に硬貨Ｍが押し付けられても阻止部材１０６の前端部を上に動かすような分力は現れず、これ以上の硬貨Ｍの挿入が阻止されるだけで、従って、カード挿入口１０１からカード通路１０３内に硬貨Ｍが挿入されたとしても、その後、この硬貨Ｍの筐体内カード通路１０４内への進入は阻止部材１０６により確実に阻止されてしまうことになり、正規なカードの挿入に対して何らの影響をもたらすことなく、カード挿入口からの異物の挿入を確実に阻止することができる。
【００２１】
また、カード挿入口１０１の大きさが異物の挿入阻止機能に影響しないので、カード挿入口１０１の寸法Ｈについても、余裕をもって大きくすることができ、正規のカードの挿入に際しては、その挿入操作が容易になるという効果がある。
【００２２】
ところで、以上の装置では、図１８から明らかように、ガイド部１０５が３個に分かれて設置してあり、これによりガイド部１０５の上に堆積する塵埃などが最小限に抑えられるようにしてある。なお、このガイド部１０５の設置数は筐体１０２の大きさ次第で任意の個数にすればよいが、硬貨Ｍがガイド部１０５の間に入り込むのを阻止するため、硬貨Ｍの直径以下の間隔で配置する必要がある。
【００２３】
この結果、硬貨Ｍよりも小さな異物に対しては、ある程度侵入を許してしまうが、この場合でも、侵入した異物はガイド部１０５の間に堆積するので、カードＣの挿入によって異物が装置内にまで持ち込まれてしまう恐れは少ないというものである。
【００２４】
【特許文献１】
特許開２０００−２９３６３６公報
【００２５】
【発明が解決しようとする課題】
現在、電子機器において、様々な種類のカードが普及してきているが、中には、互いにサイズ、概観が似ているものもあり、ユーザが間違ってスロットに挿入するケースがある。
【００２６】
また、従来のユニット受容体（カードコネクタ）には、誤挿入防止機構がないために、ユーザが誤って違うサイズのユニットを挿入する可能性があった。
【００２７】
しかしながら、特許文献１の誤挿入防止機構は異物に対してであり、異なる種類のカード類の誤挿入を防止するものではなかった。
【００２８】
そこで、本発明の技術的課題は、ユーザが間違ったカードを挿入することを防ぐことができる誤挿入防止機構とそれを備えたカードコネクタとを提供することにある。
【００２９】
【課題を解決するための手段】
本発明によれば、予め定められた種類の第１種のカードの挿入離脱をガイドするガイド部が設けられたフレーム部を備えたコネクタにおいて、前記フレーム部は、ストッパ部とロック部とを有し、前記ストッパ部は前記第１種のカードとは異なる種類の第２種のカードの挿入を阻止する位置と、前記第１種のカードの挿入を許容する位置との間で移動自在に前記フレーム部に保持され、前記ロック部は前記ストッパ部の移動を阻止する少なくとも一つの係止部と、前記係止部に対応し、当該係止部の係止を解除する少なくとも一つのボタン部とを有し、前記第１種のカードを挿入した際に、前記第１種のカードによって前記少なくとも一つのボタン部が移動して、前記係止部の係止を解除し前記ストッパ部の移動が可能になり、前記第２種のカードを挿入した際には、前記少なくとも一つのボタン部は移動せず、前記少なくとも一つの係止部によって前記少なくとも一つのストッパ部の移動が阻止されるようにしたことを特徴とするコネクタが得られる。
【００３０】
また、本発明によれば、予め定められた種類の第１種のカードの挿入離脱をガイドするガイド部が設けられたフレーム部を備えたコネクタにおいて、前記フレーム部は前記第１種のカードとは異なる種類の第２種のカードの挿入を阻止する位置と、前記第１種のカードの挿入を許す位置との間で移動自在にフレームに保持された少なくとも一つのストッパ部と、前記少なくとも一つのストッパ部の移動を阻止する少なくとも一つの係止部とを有し、前記少なくとも一つのストッパ部は前記少なくとも一つの係止部に対応し当該係止部の係止を解除する少なくとも一つのボタン部を有し、前記第１種のカードを挿入した際、前記第１種のカードにより前記少なくとも一つのボタン部が移動して、前記少なくとも一つの係止部の係止を解除し、前記少なくとも一つのストッパ部の移動が可能になり、前記第２種のカードを挿入した際には、前記少なくとも一つのボタン部は移動せず、前記係止部により前記ストッパ部の移動が阻止されるようにしたことを特徴とするコネクタが得られる。
【００３１】
さらに、本発明によれば、予め定められた種類の第１種のカードの挿入離脱をガイドするガイド部が設けられたフレーム部を備えたコネクタにおいて、前記フレーム部は前記第１種のカードとは種類が異なる第２種のカードの挿入を阻止する位置と、前記第１種のカードの挿入を許す位置との間で移動自在に前記フレーム部に保持されたストッパ部を少なくとも一つ有し、前記ストッパ部は、前記ストッパ部を移動させるボタン部を一体に有し、前記第１種のカードを挿入した際には、前記第１種のカードにより前記ボタン部が移動して前記ストッパ部を移動させ、前記第２種のカードを挿入した際には、前記ボタン部は移動しないように構成されていることを特徴とするコネクタが得られる。
【００３２】
【発明の実施の形態】
以下、本発明の実施の形態について図面を参照しながら説明する。
【００３３】
図１は本発明の第１の実施の形態による誤挿入防止機構を備えたカードコネクタを示す図で、（ａ）は斜め上方から眺めた斜視図であり、（ｂ）は斜め下方から眺めた斜視図である。図２は図１のカードコネクタにカードが挿入された状態を示す図で、（ａ）は斜め上方から眺めた斜視図で、（ｂ）は斜め下方から眺めた斜視図である。
【００３４】
図１（ａ）及び（ｂ）を参照すると、カードコネクタ６０は左右一対の縦棒が下方にやや突き出した断面略コ字状のフレーム部１１と、一対のフレーム部１１の後端に、収容される第１種のカードであるのＰＣカード５５と電気接続がなされる複数のコンタクトが設けられたインシューレータ６４と、一方のフレーム部１１の外側にイジェクトバー６２を収容するように設けられたイジェクトバー収容部６１と、上面を覆う上カバー６３とを備えている。フレーム部１１のコ字状内にＰＣカードをガイドするガイド部１２が形成され、このガイド部１２の下側にスマートカードがガイドされるガイド部１７が形成される。
【００３５】
ここで、以下の説明においては、説明の便宜上、カードコネクタ６０のＰＣカード、スマートカード等のカードが挿入される側を前方、これとはカード挿入方向における反対側を後方と呼ぶ。
【００３６】
一対のフレーム部１１の前端にはカバーとともに、ＰＣカードスロット７１が設けられ、さらに、フレーム部１１のガイド部１２の底部の下面には、フレーム部１１の側板の鉛直方向の突出部分と開口及びガイド部を備えた仕切り板６６とによって第２種のカードであるスマートカードを収容するためのスマートカードスロット７２が形成されている。
【００３７】
また、フレーム部１１の下端の前後寄りには、幅方向に突出して、図示しない基板に実装するための４つの取り付け金具６５が一体に設けられている。
【００３８】
図１（ｂ）に最も良く示されるように、カードコネクタ６０の下端部には、コンタクト６７ａを備えたスマートカード側スロット接触部６７が設けられている。また、このスマートカード側スロット接触部６７と、厚さ方向に対向して、下側にはスロット接触部とともにスマートカードを挟みこむための押さえ片６７ｂが設けられている。
【００３９】
また、一方のフレーム部１１の中央部付近には、後に詳しく説明する誤挿入防止機構１０が設けられている。
【００４０】
図２（ａ）及び図２（ｂ）に示すように、カードコネクタ６０は、コネクタの図では上方のＰＣカードスロット７１に、ＩＣカード、メモリカード、そのほかインターフェースカード等のＰＣカード５５を収容し、一方、下方の基板側のスマートカードスロット７１には、メモリースティック、ＩＣカード、等のスマートカード５０を収容する。スマートカード５０はＰＣカード５５よりも厚さが薄く形成されている。
【００４１】
次に、誤挿入防止機構について説明する。以下の説明において、スマートカードスロット７２には、ＰＣカード５５は厚いために誤挿入されることはないので、ＰＣカードスロット７１の誤挿入防止機構についてのみ説明する。
【００４２】
図３は図１のカードコネクタの誤挿入防止機構のロック係止状態を示す部分斜視図である。図４は図３の誤挿入防止機構のロック係止解除状態を示す斜視図である。図５は図３の誤挿入防止機構のカード挿入状態を示す斜視図である。図６は図３の誤挿入防止機構のスマートカード誤挿入状態を示す斜視図である。
【００４３】
図３に示すように、カードコネクタの誤挿入防止機構１０は、ガイド部１２を内側に備えたフレーム部１１と、ロック部１と、ストッパ部２とを備えている。一対のフレーム部１１は側板が、ガイド部の底よりも下方に突出した形状であるが、この突出部は図示では省略されている。
【００４４】
フレーム部１１の内側には、ＰＣカードの挿入をガイドするガイド部１２が設けられている。フレーム部１１は、切り込み１７と、切り込み１７の後方に段をなして設けられた突出部１６ｃ，１６ｂ，１６ａと突出部１６ａの後側で、外側切り込まれた切り込み１５と、四角の穴部１４ａを備え、幅方向内側に突出した突出部１４と、突出部１４の後端の円弧面１４ｂとともに形成された切り込み１３とをこの順で備えている。
【００４５】
ロック部１は互いに、鉛直方向に対向するように、三角形状に突出したボタン部１ａと、ボタン部１ａの先端側に設けられ、ストッパ部２と係合するＴ字形状の係止部１ｂと、ボタン部１ａの基部側に延在するバネ部１ｃと、バネ部１ｃの夫々の基部を連絡するとともにフレーム部１１に装着するためにフレーム部１１の外側に設けられた支持部１ｄとを備えている。
【００４６】
ストッパ部２は、一端が軸２１を中心にして回転可能に支持された板体２ａからなり、この板体２ａの他端の上下には、挿入側に向かって突出した突起部２ｂと、軸２１と突起部２ｂとの間に上下面に形成されたＴ字形状の窪み２ｃとを備えている。Ｔ字形状の窪みには、ロック部１の係止部１ｂが挿入されて、ストッパ部２が、前後方向の交差するカードの挿入を阻止される位置でロック係止状態となる。また、板体２ａの他端側には、突出部２ｄが設けられている。
【００４７】
図３のロック係止状態においては、一対のバネ部１ｃによって、ロック部１の夫々のボタン部１ａ及び係止部１ｂが互いに向かい合うように付勢されているので、係止部１ｂがストッパ部２の窪み２ｃに収容されているために、ストッパ部２は軸２１を中心とした後方に回動を阻止されている。
【００４８】
図４はロック係止解除状態を示しており、係止部１ｂは互いに離れる方向に移動して、ストッパ部２との係合がはずれ、ストッパ部２は軸２１を中心にして、後方に回転自在となる。
【００４９】
図５に示すように、ＰＣカード挿入状態においては、ＰＣカードの縁部が、ロック部１のボタン部１ａを互いに開く方向に押し、このために係止部１ｂとストッパ部２の窪み２ｃとの係合が外れ、さらに、ＰＣカードが進入すると、ＰＣカードの先端及び側縁部にストッパ部２が押されて回転し、カードの挿入を許容する位置に移動し、ＰＣカードと図示しないコンタクトとが接触して装着状態となる。
【００５０】
図６に示すように、ＰＣカードとはカードの種類が異なる場合、厚みや角部の形状が異なり、例えば、スマートカードのように角部の形状が異なる場合には、カードの挿入によっても、ボタン部１ａを押さないので、ロック部１の係止部１ｂとストッパ部２の窪み２ｃとの係合がはずれないので、ストッパ部２は現在のロック係止位置を保持したままで、それ以上のカードの進入を阻止することができる。
【００５１】
次に本発明の第２の実施の形態について説明する。本発明の第２の実施の形態によるカードコネクタは図１に示したものとは、誤挿入防止機構以外は同様であるので、誤挿入防止機構についてのみ説明する。
【００５２】
図７は本発明の第２の実施の形態によるカードコネクタの誤挿入防止機構のロック係止状態を示す部分斜視図である。図８は図７の誤挿入防止機構のロック係止解除状態を示す斜視図である。図９は図７の誤挿入防止機構のカード挿入状態を示す斜視図である。図８は図１の誤挿入防止機構のスマートカード誤挿入状態を示す斜視図である。
【００５３】
図７に示すように、カードコネクタの誤挿入防止機構２０は、内側にガイド部１２が形成された一対のフレーム部１１と、ロック部とストッパ部とが一体に形成されたロックストッパ部３とを備えている。フレーム部１１は前述したものと同様に側板の下方への突出部したスマートカードスロットのガイド部分を構成する部位は省略されている。
【００５４】
フレーム部１１は、外側面から一段と低く形成された窪み面２２と、窪み面２２の内側に形成された切り込み２３と、窪み面２２の先端部に設けられた突起部２５と、さらに、前方の内側に設けられた切り込み２４とを備えている。切り込み２２の前方側の端面２３ａは、円弧状に形成されている。
【００５５】
ロックストッパ部３は互いに内側に向かって三角形状の突出したボタン部３ａと、このボタン部３ａから細長く伸びるとともに突起部２５に係合するバネ部３ｂと、バネ部３ｄと直交する方向に交わる支持部３ｄと、支持部３ｄの一端を回転可能に支持する軸２１と、支持部３ｄの他端部を連結するストッパ片３ｃと、ストッパ片３ｃを前方に回転するように付勢するスプリング４とを備えている。
【００５６】
図７のロック係止状態においては、バネ部３ｂによって、ボタン部３ａが鉛直方向互いに向き合う方向に付勢されるとともに、ボタン部３ａよりも支持部３ｄ側の部分が突起部２５に係合しているので、ロックストッパ部３の軸回りの回転が阻止され、ストッパ片３ｃは、ＰＣカード収容通路に突出したカードの挿入を阻止した位置にある状態である。
【００５７】
図８はロック係止解除状態を示しており、ボタン部３ａが互いに外側に押されるために、バネ部３ｂと突起部２５との係合がはずれて、ロックスットパ部３は、ストッパ片３ｃとともに、後方に軸２１を中心に回転可能な状態となっている。
【００５８】
図９に示すように、ＰＣカード挿入状態においては、ＰＣカードの縁部が、ボタン部３ａを夫々垂直方向外側に押し出し、このためにバネ部３ｂと、突起部２５との係合が外れ、さらに、ＰＣカードが進入すると、ＰＣカードの先端及び側縁部にストッパ片３ｃが押されて、後方に軸２１を中心に回転し、カードの挿入を許容した位置になり、ＰＣカードの収容及びコンタクトとの接続を可能とする。
【００５９】
図１０に示すように、カードの種類が異なる場合、例えば、厚みや角部の形状が異なるスマートカードの場合には、ボタン部３ａが押されず、バネ部３ｂと突起部２５との係合がはずれないので、ロックストッパ部は現在のロック係止位置を保持したままで、それ以上のカードの進入を阻止する。
【００６０】
次に、本発明の第３の実施の形態について説明する。本発明の第３の実施の形態によるカードコネクタは、第２の実施の形態と同様に図１に示したものとは、誤挿入防止機構以外は同様であるので、誤挿入防止機構についてのみ説明する。
【００６１】
図１１は本発明の第３の実施の形態によるカードコネクタの誤挿入防止機構のロック係止状態を示す部分斜視図である。図１２は図１１の誤挿入防止機構のロック係止状態を示す透視図である。図１３は図１１の誤挿入防止機構のスマートカード誤挿入状態を示す斜視図である。
【００６２】
図１１及び図１２に示すように、カードコネクタの誤挿入防止機構３０は、内側にガイド部が形成され、側板が下端にやや付きぬける断面略コ字形状のフレーム部１１と、ロック部とストッパ部とが一体に形成された上下一対のロックストッパ部５，６とを備えている。
【００６３】
フレーム部１１は、外側面から一段低く形成された窪み面３１と、窪み面３１の内側に形成された切り込み３３と、窪み面３３の前方に設けられた窪み部３４とを備えている。
【００６４】
一方のロックストッパ部５は、一端がフレーム部１１の上部に軸２１ａを中心にして回転可能に支持されたバネ部５ｂと、バネ部５ｂの先端から鉛直方向下方に伸びるストッパ片５ａと、フレーム部１１のガイド部１２の下方に設けられた長四角の穴から内側に貫通して突出したボタン部５ｃとを備えている。
【００６５】
他方のロックストッパ部６は、一端がフレーム部１１の下部に軸２１ｂを中心にして回転可能に支持されたバネ部６ｂと、バネ部６ｂの先端から鉛直方向上方に伸びるストッパ片６ａと、フレームの側面の上方に設けられた長四角の穴から内側に貫通して突出したボタン部６ｃとを備えている。一対のロックストッパ部５，６は互いに前後方向（カード挿入方向）に位置ずれして設けられており、したがってストッパ部５ａ，６ａはカードの挿入方向、即ち、前後方向に並んで設けられている。
【００６６】
図１３を参照すると、カードの種類が異なる場合、例えば、厚みや角部の形状が異なるスマートカード５０の誤挿入の場合には、ボタン部６ｃが外側に押されないので、ロックストッパ部５，６は夫々外側には動かず、ストッパ片５ａ，６ａはロック位置を保持したままで、それ以上のカードの挿入を阻止した位置にある。
【００６７】
次に、本発明の第４の実施の形態について説明する。本発明の第４の実施の形態によるカードコネクタは、第２及び第３の実施の形態と同様に図１に示したものとは、誤挿入防止機構以外は同様であるので、誤挿入防止機構についてのみ説明する。
【００６８】
図１４は本発明の第４の実施の形態によるカードコネクタの誤挿入防止機構のロック係止状態を示す部分斜視図である。図１５は図１４の誤挿入防止機構のカード挿入状態を示す透視図である。図１６は図１４の誤挿入防止機構のスマートカード誤挿入状態を示す斜視図である。
【００６９】
図１４に示すように、カードコネクタの誤挿入防止機構４０は、ＰＣカードの挿入をガイドするガイド部が下方に形成され、側板が下方に突出した断面略コ字形状のフレーム部１１と、フレーム部１１に夫々設けられたスライダからなる一対のロック部７と一対のストッパ部８，８´とを備えている。図示のフレーム部１１は、スマートカードの挿入スロット側の側板の下方突出端部は省略している。
【００７０】
フレーム部１１の内側には、ＰＣカードの挿入をガイドするガイド部１２が設けられている。フレーム部１１は、外側面から一段低く形成された窪み面４１と、窪み面４１の内側に形成された切り込み４３とを備えている。
【００７１】
一対のロック部７は、一端が軸２１ｃを中心にして回転可能に支持された支持部７ｂと、支持部７ｂの側部から直角に起立して形成され、先端が内側に三角形に突出したボタン部７ａと、支持部７ｂとは垂直方向の反対側に設けられたバネ部７ｇと、バネ部７ｇよりも内側に窪んだ窪み部７ｆと、窪み部７ｆの先端から外側に段をなして突出した突出部７ｅを備えている。
【００７２】
一方のストッパ部８は、一端が軸２１ｄを中心にして回転可能に支持されたバネ部８ｄと、バネ部８ｄの先端より内側から鉛直方向上方に伸びるストッパ片８ｅと、先端に設けられ突出部７ｅと係合する係合穴８ｂと備えた係合部８ａとを備えている。係合部８ａは、前方に段をなして折曲しており、これによって突出部７ｅが係合部８ａの前方から係合穴８ｂを鉛直方向の外側に向かって貫通している。
【００７３】
他方のストッパ部８´は、一端が軸２１ｄを中心にして回転可能に支持されたバネ部８ｄと、バネ部８ｄの先端より内側から鉛直方向上方に伸びるストッパ片８ｅ´と、先端に設けられ突起部７ｅと係合する係合穴８ｂと備えた係合部８ａとを備えている。ストッパ片８ｅ，８ｅ´はカード挿入方向、即ち、前後方向にずれて形成されている。
【００７４】
図１５に示すように、ＰＣカードの挿入状態においては、ＰＣカードの縁部が、ボタン部７ａを夫々垂直方向外側に押し出し、このためにロック部７，７及びストッパ部８，８´は、係合したままで、夫々軸２１ｃ，２１ｄを中心に、内側から外側に向かって回転して、ストッパ片８ｅ，８ｅ´が外側に移動した状態となり、カードの挿入を許容する位置となる。さらに、ＰＣカードが進入して、コンタクトとＰＣカードのコンタクトが接触した状態で収容される。
【００７５】
図１６を参照すると、カードの種類が異なる場合、例えば、厚みや角部の形状が異なるスマートカードが誤って挿入された場合には、ボタン部７ａ，７ａが外側に押されないので、ロック部７，７及びストッパ部８，８´は夫々外側には回動せず、ストッパ部８，８´はロック状態を保持したままで、それ以上のカードの進入を阻止した位置にある。
【００７６】
尚、本発明の実施の形態においては、ＰＣカードやスマートカードについて説明したが、本発明において用いられるカードとは、これらに限定されず、カードそのもの及びカード状の装置を含むことは勿論である。
【００７７】
【発明の効果】
以上説明したように、本発明によれば、サイズの異なるユニットを誤って挿入することを防ぐことができる誤挿入防止機構とそれを備えたカードコネクタとを提供することができる。
【図面の簡単な説明】
【図１】本発明の第１の実施の形態による誤挿入防止機構を備えたカードコネクタを示す図で、（ａ）は斜め上方から眺めた斜視図、（ｂ）は斜め下方から眺めた斜視図である。
【図２】図１のカードコネクタにカードが挿入された状態を示す図で、（ａ）は斜め上方から眺めた斜視図、（ｂ）は斜め下方から眺めた斜視図である。
【図３】図１のカードコネクタの誤挿入防止機構のロック係止状態を示す部分斜視図である。
【図４】図３の誤挿入防止機構のロック係止解除状態を示す部分斜視図である。
【図５】図３の誤挿入防止機構のカード挿入状態を示す部分斜視図である。
【図６】図３の誤挿入防止機構のスマートカード誤挿入状態を示す部分斜視図である。
【図７】本発明の第２の実施の形態によるカードコネクタの誤挿入防止機構のロック係止状態を示す部分斜視図である。
【図８】図７の誤挿入防止機構のロック係止解除状態を示す部分斜視図である。
【図９】図７の誤挿入防止機構のカード挿入状態を示す部分斜視図である。
【図１０】図７の誤挿入防止機構のスマートカード誤挿入状態を示す部分斜視図である。
【図１１】本発明の第３の実施の形態によるカードコネクタの誤挿入防止機構のロック係止状態を示す部分斜視図である。
【図１２】図１１の誤挿入防止機構のロック係止状態を示す部分透視図である。
【図１３】図１１の誤挿入防止機構のスマートカード誤挿入状態を示す部分斜視図である。
【図１４】本発明の第４の実施の形態によるカードコネクタの誤挿入防止機構のロック係止状態を示す部分斜視図である。
【図１５】図１４の誤挿入防止機構のカード挿入状態を示す部分透視図である。
【図１６】図１４の誤挿入防止機構のスマートカード誤挿入状態を示す部分斜視図である。
【図１７】特許文献１に記載されたカード情報記録装置を示す正面断面図である。
【図１８】図１８は特許文献１に記載されたカード情報記録装置を示す平面断面図である。
【図１９】（ａ），（ｂ），（ｃ）は特許文献１に記載されたカード情報記録装置を示す動作説明図である。
【符号の説明】
１　　ロック部
１ａ　　ボタン部
１ｂ　　係止部
１ｃ　　バネ部
１ｄ　　支持部
２　　ストッパ部
２ａ　　板体
２ｂ　　突起部
２ｃ　　窪み
２ｄ　　突出部
３　　ロックストッパ部
３ａ　　ボタン部
３ｂ　　バネ部
３ｃ　　ストッパ片
３ｄ　　支持部
４　　スプリング
５，６　　ロックストッパ部
５ａ，６ａ　　ストッパ片
５ｂ，６ｂ　　バネ部
５ｃ，６ｃ　　ボタン部
７　　ロック部
７ａ　　ボタン部
７ｂ　　支持部
７ｇ　　バネ部
７ｅ　　突出部
７ｆ　　窪み部
８，８´　　ストッパ部
８ａ　　係合穴
８ｂ　　係合穴
８ｄ　　バネ部
８ｅ、８ｅ´　　ストッパ片
１０　　誤挿入防止機構
１１　　フレーム部
１２　　ガイド部
１３，１５，１７　　切り込み
１４　　突出部
１４ａ，穴部
１４ｂ　　円弧面
１６ａ，１６ｂ，１６ｃ　　突出部
２１，２１ａ，２１ｂ，２１ｃ，２１ｄ　　軸
２２　　窪み面
２３，２４　　切り込み
２５　　突起部
３０，４０　　誤挿入防止機構
３１　　窪み面
３３　　切り込み
３４　　窪み部
４１　　窪み面
４３　　切り込み
５０　　スマートカード
５５　　ＰＣカード
６０　　カードコネクタ
６１　　イジェクトバー収容部
６２　　イジェクトバー
６３　　上カバー
６４　　インシューレータ
６５　　取り付け金具
６６　　仕切り板
６７　　スマートカード側スロット接触部
６７ａ　　コンタクト
６７ｂ　　押さえ片
１０１　　カード挿入口
１０２　　筐体
１０３　　カード通路
１０４　　カード通路
１０５　　ガイド部
１０５Ａ　　斜面部
１０６　　阻止部材
１０７　　回動軸
１０８　　突起
１０８Ａ　　斜面部
【図１】
2004087394.tif 000003
【図２】
2004087394.tif 000004
【図３】
2004087394.tif 000005
【図４】
2004087394.tif 000006
【図５】
2004087394.tif 000007
【図６】
2004087394.tif 000008
【図７】
2004087394.tif 000009
【図８】
2004087394.tif 000010
【図９】
2004087394.tif 000011
【図１０】
2004087394.tif 000012
【図１１】
2004087394.tif 000013
【図１２】
2004087394.tif 000014
【図１３】
2004087394.tif 000015
【図１４】
2004087394.tif 000016
【図１５】
2004087394.tif 000017
【図１６】
2004087394.tif 000018
【図１７】
2004087394.tif 000019
【図１８】
2004087394.tif 000020
【図１９】
2004087394.tif 000021